(57)【要約】      （修正有）【課題】歯の隙間に挟まった食物残滓を効果的に清掃できる歯間清掃具を提供する。【解決手段】歯間清掃具は本体１１を備える。本体１１は、一端に手で握る可能なグリップ１２を有する。本体１１は、他端に針状の清掃部１３を有する。清掃部１３は、複数の歯によって列を形成する歯部１４を有する。これにより、清掃部１３を歯の隙間に差し込むことにより、フック状の歯部１４によって歯の隙間に挟まった歯垢、または、食物残滓を徹底的に清掃することができる。【選択図】図１
0003177977.tif 000002
【実用新案登録請求の範囲】
【請求項１】
本体と、
当該本体の一端に設けられ、手で握る可能なグリップと、
前記本体の他端に設けられる針状の清掃部と、を備え、
前記清掃部は、複数の歯によって列を形成する歯部を有することを特徴とする歯間清掃具。
【請求項２】
前記清掃部は、屈折するように形成されることを特徴とする請求項１に記載の歯間清掃具。
【請求項３】
前記グリップは、長手方向に間隔を置いて、短手方向に伸びて形成される二つの支持アーム、および、二つの前記支持アームの末端を連結するフロスを有することを特徴とする請求項１または２に記載の歯間清掃具。
【請求項４】
前記歯部は、先端が前記グリップに向うフック状に形成されることを特徴とする請求項１〜３のいずれか一項に記載の歯間清掃具。
【考案の詳細な説明】
【技術分野】
【０００１】
本考案は、歯を清掃する器具に関し、詳しくは歯の隙間に挟まった食物残滓を効果的に清掃できる歯間清掃具に関するものである。
【背景技術】
【０００２】
生活水準の向上に伴い、個人の口腔衛生観念および習慣は重視されている。歯を磨くことによって歯を清潔に保つことが一般的である。多くの人はホルダー型デンタルフロスで歯の隙間を清掃することによって歯を確実に清潔に保つ。
【０００３】
図７に示すように、従来のホルダー型のデンタルフロス７１は一端に二つの相互に平行するアーム７２を有し、二つのアーム７２の間にフロス７３を有し、他端に清掃端７４を有する。清掃端７４は針状を呈し、歯の隙間に残留した食物残滓の掃除に用いられる。周知のホルダー型デンタルフロス７１を使用する際、清掃端７４は表面が平滑であるため、歯の隙間に挟まった食物残滓を効果的に清掃することができない。
【先行技術文献】
【特許文献】
【０００４】
【特許文献１】特開２０１２−１０５８２４号公報
【考案の概要】
【考案が解決しようとする課題】
【０００５】
一方、市販の歯の隙間を清掃できる歯間ブラシは、清掃端に複数の刷毛を有し、刷毛により歯の隙間を清掃する。歯間ブラシを使用する際、刷毛は、柔らか過ぎるため、歯の隙間に挟まった食物残滓を効果的に清掃することができない。
本考案は、歯の隙間に挟まった食物残滓を効果的に清掃できる歯間清掃具を提供することを目的とする。
【課題を解決するための手段】
【０００６】
上述の目的を達成するために、本考案による歯間清掃具は、一端に手で握る可能なグリップを有し、他端に針状の清掃部を有する。清掃部は複数の歯によって列を形成する歯部を有する。
グリップは、長手方向に間隔をおいて短手方向に伸びて形成される二つの支持アーム、および、二つの支持アームを連結するフロスを有する。
歯部は、先端がグリップに向かうフック状に形成される。
清掃部は屈折するように形成される。
【図面の簡単な説明】
【０００７】
【図１】本考案の第１実施形態による歯間清掃具の構造を示す模式図である。
【図２】本考案の第１実施形態による歯間清掃具の使用方法を示す模式図である。
【図３】本考案の第２実施形態による歯間清掃具の構造を示す模式図である。
【図４】本考案の第３実施形態による歯間清掃具の構造を示す模式図である。
【図５】本考案の第３実施形態による歯間清掃具の使用方法を示す模式図である。
【図６】本考案の第４実施形態による歯間清掃具の構造を示す模式図である。
【図７】従来のホルダー型デンタルフロスの構造を示す模式図である。
【考案を実施するための形態】
【０００８】
以下、本考案の実施形態による歯間清掃具を図面に基づいて説明する。
（第１実施形態）
図１に示すように、第１実施形態による本体１１は棒状に形成される。本体１１は弾性材料（例えばプラスチック）から構成される。本実施形態において、本体１１は、一端に形成される手で握るためのグリップ１２と、他端に形成される針状清掃部１３とを有する。清掃部１３は、複数の歯によって長手方向に列を形成する歯部１４を有する。歯部１４は、先端がグリップ１２に向う逆フック状に形成される。
【０００９】
上述した第一実施形態を使用する際、図２に示すように手でグリップ１２を持って歯部１４を上向きにする。続いて、清掃部１３を歯の隙間２１に差し込み、逆フック状の歯部１４によって歯の隙間２１に挟まった歯垢または食物残滓を徹底的に清掃することができる。
【００１０】
（第２実施形態）
図３に基づいて第２実施形態を説明する。第１実施形態と異なる構成を次の通り説明する。グリップ１２は、長手方向に間隔を置いて短手方向に伸びて形成される二つの支持アーム１２１と、二つの支持アーム１２１の末端を連結することで引き締まれるフロス１２２とを有する。使用の際、清掃部１３上の歯部１４によって歯の隙間を清掃することができる。また、清掃部１３を手で持ってグリップ１２の二つの支持アーム１２１上のフロス１２２を歯の隙間に差し込み、清掃を行うことができる。よって、異なる清掃の需要を満足することができる。
【００１１】
（第３実施形態）
図４に基づいて第３実施形態を説明する。第１実施形態と異なる構成を次の通り説明する。清掃部１３は、屈折し、Ｌ字状に形成され、ストッパー１５が形成される。図５に示すように、ストッパー１５の作用は、使用の際、清掃部１３の歯の隙間２１に入り込む距離を制限する。例えば、使用の誤り、または、使用時に人にぶつかることにより、清掃部１３が歯の隙間２１に深く入り込み、歯茎に傷を付けることを抑制することができるため、本考案の使用上の安全性を向上することができる。
【００１２】
（第４実施形態）
図６に基づいて第４実施形態を説明する。第３実施形態と異なる構成を次の通り説明する。グリップ１２は、長手方向に間隔を置いて短手方向に伸びて形成される二つの支持アーム１２１と、二つの支持アーム１２１の末端を連結することで引き締まれるフロス１２２とを有する。上述した構造により、第４実施形態は使用上の安全性が比較的高いだけでなく、ユーザーが清掃部１３の使用または二つの支持アーム１２１上のフロス１２２の使用を選択することができ、ユーザーの異なる清掃の需要を満足することができる。
以上、本考案は、上記実施形態になんら限定されるものではなく、考案の趣旨を逸脱しない範囲において種々の形態で実施可能である。
【符号の説明】
【００１３】
１１・・・本体、
１２・・・グリップ、
１３・・・清掃部、
１４・・・歯部、
１５・・・ストッパー、
２１・・・歯の隙間
１２１・・・支持アーム、
１２２・・・フロス。
【図１】
0003177977.tif 000003
【図２】
0003177977.tif 000004
【図３】
0003177977.tif 000005
【図４】
0003177977.tif 000006
【図５】
0003177977.tif 000007
【図６】
0003177977.tif 000008
【図７】
0003177977.tif 000009